(57)【要約】【課題】  デフォーカスに起因するリング状のボケが発生することのない反射撮影レンズ。【解決手段】  物体からの光が第一反射鏡（ＣＭ１）、第二反射鏡（ＣＭ２）、第三反射鏡（ＣＭ３）および第四反射鏡（ＣＭ４）により順次反射された後に所定の像面（ＩＭ）に物体像を形成するように配置されている。第一反射鏡乃至第四反射鏡は、回転非対称な非球面形状の反射面を有し、像面の中心を通る法線により規定される第一基準軸（ＡＸｅ）を含んで像面に垂直な基準面（ＹＺ面）に関して対称に構成されている。第一反射鏡は、光の入射方向に対して凹面を向けている。第一反射鏡および第二反射鏡は第一基準軸と直交する直交面（ＸＹ平面）に対して同じ方向に傾き、第三反射鏡および第四反射鏡は上記直交面に対して第一反射鏡と逆の方向に傾いている。第二反射鏡および第三反射鏡は、基準面内で第一反射鏡に対して同じ側に偏心配置されている。【選択図】  図１
2014106431.tif 000002
【特許請求の範囲】
【請求項１】
物体側から順に、第一反射鏡と、第二反射鏡と、第三反射鏡と、第四反射鏡とを備え、物体からの光が前記第一反射鏡、前記第二反射鏡、前記第三反射鏡および前記第四反射鏡により順次反射された後に所定の像面に物体像を形成するように配置され、
前記第一反射鏡乃至前記第四反射鏡は、回転非対称な非球面形状の反射面を有し、前記像面の中心を通る法線により規定される第一基準軸を含んで前記像面に垂直な基準面に関して対称に構成され、
前記第一反射鏡は、光の入射方向に対して凹面を向けており、
前記第一反射鏡および前記第二反射鏡は前記第一基準軸と直交する直交面に対して同じ方向に傾き、前記第三反射鏡および前記第四反射鏡は前記直交面に対して前記第一反射鏡と逆の方向に傾いており、
前記第二反射鏡および前記第三反射鏡は、前記基準面内で前記第一反射鏡に対して同じ側に偏心配置されていることを特徴とする反射撮影レンズ。
【請求項２】
前記第一反射鏡の反射面と前記基準面との交差曲線の中心曲率をＡ１１とし、前記第一反射鏡の反射面の中心を通る法線を含んで前記基準面と直交する面と前記第一反射鏡の反射面との交差曲線の中心曲率をＡ１２とし、前記第二反射鏡の反射面と前記基準面との交差曲線の中心曲率をＡ２１とし、前記第二反射鏡の反射面の中心を通る法線を含んで前記基準面と直交する面と前記第二反射鏡の反射面との交差曲線の中心曲率をＡ２２とするとき、
（Ａ１２−Ａ１１）×（Ａ２２−Ａ２１）＞−０．０００００００５      （１）
の条件を満足することを特徴とする請求項１に記載の反射撮影レンズ。
【請求項３】
前記第一反射鏡の回転非対称な非球面は、該非球面の接平面の原点における法線方向をｚ方向とし、前記接平面と前記基準面との交線の方向をｙ方向とし、前記接平面内でｙ方向と直交する方向をｘ方向とし、前記非球面のｚ方向のサグ量をｓとし、ｍおよびｎを０を含む自然数とし、単項式ｘm・ｙnの係数をＣ1（ｍ，ｎ）とするとき、次の式（２）により規定され、且つ次の条件式（３）を満足することを特徴とする請求項１または２に記載の反射撮影レンズ。
【数１】
2014106431.tif 000006
【請求項４】
前記第二反射鏡の回転非対称な非球面は、該非球面の接平面の原点における法線方向をｚ方向とし、前記接平面と前記基準面との交線の方向をｙ方向とし、前記接平面内でｙ方向と直交する方向をｘ方向とし、前記非球面のｚ方向のサグ量をｓとし、ｍおよびｎを０を含む自然数とし、単項式ｘm・ｙnの係数をＣ2（ｍ，ｎ）とするとき、次の式（４）により規定され、且つ次の条件式（５）を満足することを特徴とする請求項１乃至３のいずれか１項に記載の反射撮影レンズ。
【数２】
2014106431.tif 000007
【請求項５】
少なくとも１つの可動レンズを有し且つ前記像面に対する前記物体の合焦を行うための合焦光学系をさらに備えていることを特徴とする請求項１乃至４のいずれか１項に記載の反射撮影レンズ。
【請求項６】
前記合焦光学系は、前記第四反射鏡と前記像面との間の光路中に配置されていることを特徴とする請求項５に記載の反射撮影レンズ。
【請求項７】
前記合焦光学系は、前記第一基準軸と平行な方向に沿って一体的に移動可能な複数のレンズを有することを特徴とする請求項５または６に記載の反射撮影レンズ。
【請求項８】
前記第一反射鏡乃至前記第四反射鏡は、前記物体の位置において前記像面と光学的に共役な面として定義される物体面が前記像面と平行になるように配置されていることを特徴とする請求項１乃至７のいずれか１項に記載の反射撮影レンズ。
【請求項９】
前記第一反射鏡乃至前記第四反射鏡は、前記第一反射鏡の反射面の中心に対して前記第一基準軸と平行に入射した光が、前記第二反射鏡、前記第三反射鏡および前記第四反射鏡を経て前記像面の中心に垂直入射するように配置されていることを特徴とする請求項１乃至８のいずれか１項に記載の反射撮影レンズ。
【発明の詳細な説明】
【技術分野】
【０００１】
本発明は、反射撮影レンズに関する。
【背景技術】
【０００２】
例えばカメラに用いられる反射撮影レンズとして、色収差の良好な補正と小型化との両立を図るのに有利な反射撮影レンズが知られている。従来の反射撮影レンズは、直線状に延びる単一の光軸に沿って配置された凹面反射鏡と凸面反射鏡とを含み、光軸に関して回転対称な光学系である（例えば、特許文献１を参照）。
【先行技術文献】
【特許文献】
【０００３】
【特許文献１】特開平１１−２１２１３２号公報
【発明の概要】
【発明が解決しようとする課題】
【０００４】
従来の反射撮影レンズでは、物体（被写体）からの光束の中央部分が凸面反射鏡により遮られた後、中央開口部を有する凹面反射鏡および凸面反射鏡で順次反射され、凹面反射鏡の開口部を介して像面に達する。その結果、像面に達する結像光束の中央部分は欠如しており、像面に対するデフォーカス（焦点位置ずれ）に起因して物体像にリング状のボケが発生し易い。
【０００５】
本発明は、前述の課題に鑑みてなされたものであり、デフォーカスに起因するリング状のボケが発生することのない反射撮影レンズを提供することを目的とする。
【課題を解決するための手段】
【０００６】
前記課題を解決するために、本発明では、物体側から順に、第一反射鏡と、第二反射鏡と、第三反射鏡と、第四反射鏡とを備え、物体からの光が前記第一反射鏡、前記第二反射鏡、前記第三反射鏡および前記第四反射鏡により順次反射された後に所定の像面に物体像を形成するように配置され、
前記第一反射鏡乃至前記第四反射鏡は、回転非対称な非球面形状の反射面を有し、前記像面の中心を通る法線により規定される第一基準軸を含んで前記像面に垂直な基準面に関して対称に構成され、
前記第一反射鏡は、光の入射方向に対して凹面を向けており、
前記第一反射鏡および前記第二反射鏡は前記第一基準軸と直交する直交面に対して同じ方向に傾き、前記第三反射鏡および前記第四反射鏡は前記直交面に対して前記第一反射鏡と逆の方向に傾いており、
前記第二反射鏡および前記第三反射鏡は、前記基準面内で前記第一反射鏡に対して同じ側に偏心配置されていることを特徴とする反射撮影レンズを提供する。
【発明の効果】
【０００７】
本発明の反射撮影レンズでは、中央部分の欠如していない中実断面の光束が物体像を形成するので、デフォーカスに起因するリング状のボケが発生することなく、鮮明な物体像が得られる。
【図面の簡単な説明】
【０００８】
【図１】実施形態の各実施例にかかる反射撮影レンズの基本構成を概略的に示す図である。
【図２】第１実施例にかかる反射撮影レンズのＹＺ平面に沿った断面構成を概略的に示す図である。
【図３】第１実施例にかかる反射撮影レンズのＸＺ平面に沿った断面構成を概略的に示す図である。
【図４】第１実施例の歪曲収差を示す図である。
【図５】第１実施例のｅ線に対する収差をスポットダイアグラムで示す図である。
【図６】各実施例のスポットダイアグラムにおける９つの像点の位置を示す図である。
【図７】第２実施例にかかる反射撮影レンズのＹＺ平面に沿った断面構成を概略的に示す図である。
【図８】第２実施例にかかる反射撮影レンズのＸＺ平面に沿った断面構成を概略的に示す図である。
【図９】第２実施例の歪曲収差を示す図である。
【図１０】第２実施例のｅ線に対する収差をスポットダイアグラムで示す図である。
【図１１】第３実施例にかかる反射撮影レンズのＹＺ平面に沿った断面構成を概略的に示す図である。
【図１２】第３実施例にかかる反射撮影レンズのＸＺ平面に沿った断面構成を概略的に示す図である。
【図１３】第３実施例の歪曲収差を示す図である。
【図１４】第３実施例のｅ線に対する収差をスポットダイアグラムで示す図である。
【図１５】第４実施例にかかる反射撮影レンズのＹＺ平面に沿った断面構成を概略的に示す図である。
【図１６】第４実施例にかかる反射撮影レンズのＸＺ平面に沿った断面構成を概略的に示す図である。
【図１７】第４実施例の歪曲収差を示す図である。
【図１８】第４実施例のｅ線に対する収差をスポットダイアグラムで示す図である。
【図１９】第５実施例にかかる反射撮影レンズのＹＺ平面に沿った断面構成を概略的に示す図である。
【図２０】第５実施例にかかる反射撮影レンズのＸＺ平面に沿った断面構成を概略的に示す図である。
【図２１】第５実施例の歪曲収差を示す図である。
【図２２】第５実施例のｅ線に対する収差をスポットダイアグラムで示す図である。
【図２３】第６実施例にかかる反射撮影レンズのＹＺ平面に沿った断面構成を概略的に示す図である。
【図２４】第６実施例にかかる反射撮影レンズのＸＺ平面に沿った断面構成を概略的に示す図である。
【図２５】第６実施例の歪曲収差を示す図である。
【図２６】第６実施例のｅ線に対する収差をスポットダイアグラムで示す図である。
【図２７】第７実施例にかかる反射撮影レンズの無限遠合焦状態におけるＹＺ平面に沿った断面構成を概略的に示す図である。
【図２８】第７実施例にかかる反射撮影レンズの無限遠合焦状態におけるＸＺ平面に沿った断面構成を概略的に示す図である。
【図２９】第７実施例にかかる反射撮影レンズの第１距離合焦状態におけるＹＺ平面に沿った断面構成を概略的に示す図である。
【図３０】第７実施例にかかる反射撮影レンズの第２距離合焦状態におけるＹＺ平面に沿った断面構成を概略的に示す図である。
【図３１】第７実施例の無限遠合焦状態におけるｅ線に対する収差をスポットダイアグラムで示す図である。
【図３２】第７実施例の第１距離合焦状態におけるｅ線に対する収差をスポットダイアグラムで示す図である。
【図３３】第７実施例の第２距離合焦状態におけるｅ線に対する収差をスポットダイアグラムで示す図である。
【図３４】第７実施例の無限遠合焦状態におけるｇ線に対する収差をスポットダイアグラムで示す図である。
【図３５】第７実施例の第１距離合焦状態におけるｇ線に対する収差をスポットダイアグラムで示す図である。
【図３６】第７実施例の第２距離合焦状態におけるｇ線に対する収差をスポットダイアグラムで示す図である。
【図３７】第８実施例にかかる反射撮影レンズの無限遠合焦状態におけるＹＺ平面に沿った断面構成を概略的に示す図である。
【図３８】第８実施例にかかる反射撮影レンズの無限遠合焦状態におけるＸＺ平面に沿った断面構成を概略的に示す図である。
【図３９】第８実施例にかかる反射撮影レンズの第１距離合焦状態におけるＹＺ平面に沿った断面構成を概略的に示す図である。
【図４０】第８実施例にかかる反射撮影レンズの第２距離合焦状態におけるＹＺ平面に沿った断面構成を概略的に示す図である。
【図４１】第８実施例の無限遠合焦状態におけるｅ線に対する収差をスポットダイアグラムで示す図である。
【図４２】第８実施例の第１距離合焦状態におけるｅ線に対する収差をスポットダイアグラムで示す図である。
【図４３】第８実施例の第２距離合焦状態におけるｅ線に対する収差をスポットダイアグラムで示す図である。
【図４４】第８実施例の無限遠合焦状態におけるｇ線に対する収差をスポットダイアグラムで示す図である。
【図４５】第８実施例の第１距離合焦状態におけるｇ線に対する収差をスポットダイアグラムで示す図である。
【図４６】第８実施例の第２距離合焦状態におけるｇ線に対する収差をスポットダイアグラムで示す図である。
【発明を実施するための形態】
【０００９】
実施形態における各実施例の具体的な説明に先立ち、本発明にかかる反射撮影レンズの基本的な構成について説明する。本発明は、可視域におけるｇ線（４３５．８３ｎｍ）〜Ｃ線（６５６．２７ｎｍ）の波長範囲に亘って色収差が良好に補正された、歪みのない高精細な結像性能を有する反射撮影レンズを提案している。
【００１０】
具体的に、本発明の反射撮影レンズでは、物体からの光を、第一反射鏡、第二反射鏡、第三反射鏡および第四反射鏡により順次反射した後に、所定の像面に物体像を形成する。第一反射鏡乃至第四反射鏡は、回転非対称な非球面形状の反射面を有し、像面の中心を通る法線により規定される第一基準軸を含んで像面に垂直な基準面に関して対称に構成されている。第一反射鏡は、光の入射方向に対して凹面を向けている。第一反射鏡および第二反射鏡は第一基準軸と直交する直交面に対して同じ方向に傾き、第三反射鏡および第四反射鏡は上記直交面に対して第一反射鏡と逆の方向に傾いている。第二反射鏡および第三反射鏡は、基準面内で第一反射鏡に対して同じ側に偏心配置されている。
【００１１】
本発明では、結像光束の遮蔽が生じないように、４つの反射鏡を偏心配置している。そして、反射鏡の偏心配置に起因して発生する偏心収差を補正するために、４つの反射鏡の反射面を回転非対称な非球面形状にしている。ここで、回転非対称な非球面形状の反射面を有する４つの反射鏡を用いているのは、良好な物体像を得るためである。以下、本発明において４つの反射鏡により反射撮影レンズを構成している理由を説明する。
【００１２】
本発明の反射撮影レンズでは、カメラレンズとしての用途を優先的に考えている。この場合、通常の屈折光学系と同様に倒立像を形成する必要がある。倒立像の形成に着目すると、反射撮影レンズを構成する反射鏡の枚数は偶数枚に限られる。つまり、複数の反射鏡により構成する場合、反射鏡の最小枚数は２枚であり、次いで少ない所要枚数は４枚である。
【００１３】
一方、反射撮影レンズにおける収差補正、とりわけ球面収差の補正だけに着目すると、非球面形状の反射面を有する１つの反射鏡でも可能である。しかしながら、カメラレンズの場合には、比較的広い視野が求められる。像面湾曲の補正を良好に行うには、所謂ペッツバール和を抑えるために、少なくとも１つの凸面鏡および少なくとも１つの凹面鏡が必要になる。さらに、広い視野に亘ってコマ収差を良好に補正するには、反射撮影レンズを構成する反射鏡の枚数は２枚では足りない。そこで、本発明では、４つの反射鏡を用いることにより、広い視野に亘って諸収差（非点収差、コマ収差など）の良好な補正を実現している。
【００１４】
本発明では、色収差の補正が困難な望遠レンズを想定しているため、光学系の焦点距離は長くなり、口径も大きくなる。そこで、本発明では、最も物体側に配置された第一反射鏡が光の入射方向に対して凹面を向けている。すなわち、第一反射鏡は、正のパワーを有する。このように、物体からの光が最初に入射する第一反射鏡に正のパワーを付与することにより、第一反射鏡を経た光束を細くすることができ、第一反射鏡に後続する３つの反射鏡の口径を小さく抑えることができ、ひいては光学系の軽量化を図ることができる。
【００１５】
本発明の反射撮影レンズでは、共軸の反射光学系の欠点である結像光束の中心遮蔽を回避するため、４つの反射鏡を偏心配置している。具体的に、本発明では、コマ収差の補正に有利な偏心配置して、第一反射鏡および第二反射鏡が第一基準軸と直交する直交面に対して同じ方向に傾き、第三反射鏡および第四反射鏡が上記直交面に対して第一反射鏡と逆の方向に傾き、第二反射鏡および第三反射鏡が基準面内で第一反射鏡に対して同じ側に偏心配置された構成を採用している。
【００１６】
複数の反射鏡を偏心配置する構成では、最も低次の非対称収差である非点収差が発生する。本発明では、非点収差の良好な補正のために、第一反射鏡および第二反射鏡の反射面の中心付近を、いわゆるトーリック面（直交する二方向で曲率半径が異なるような面）に形成することが好ましい。具体的には、偏心配置による非点収差の良好な補正のために、第一反射鏡および第二反射鏡は、次の条件式（１）を満足することが好ましい。
（Ａ１２−Ａ１１）×（Ａ２２−Ａ２１）＞−０．０００００００５      （１）
【００１７】
条件式（１）において、Ａ１１は第一反射鏡の反射面と基準面との交差曲線の中心曲率であり、Ａ２１は第二反射鏡の反射面と基準面との交差曲線の中心曲率である。また、Ａ１２は第一反射鏡の反射面の中心を通る法線を含んで基準面と直交する面と第一反射鏡の反射面との交差曲線の中心曲率であり、Ａ２２は第二反射鏡の反射面の中心を通る法線を含んで基準面と直交する面と第二反射鏡の反射面との交差曲線の中心曲率である。
【００１８】
すなわち、（Ａ１２−Ａ１１）は第一反射鏡の中心において互いに直交する二方向の曲率の差であり、（Ａ２２−Ａ２１）第二反射鏡の中心において互いに直交する二方向の曲率の差である。条件式（１）を満たすことは、第一反射鏡の中心における曲率差と第二反射鏡の中心における曲率差とが互いに同じ符号を持つか、曲率差がほとんどないことを意味している。第一反射鏡と第二反射鏡とでは光の入射方向が反対になるので、曲率差の符号が互いに同じ場合には、それぞれ正負で反対のパワーを及ぼす。従って、条件式（１）は、第一反射鏡と第二反射鏡とでアス成分を互いに相殺するか、もしくは、強め合わない条件を示している。言い方を変えると、第一反射鏡の反射面と第二反射鏡の反射面とで、互いにアス成分を強め合ってしまうと光学系全体で収差の補正が困難になることを示している。
【００１９】
例えば、第一反射鏡および第二反射鏡が共に物体側に凹面を向ける場合、第一反射鏡は正のパワーを有し、第二反射鏡は負のパワーを有することになる。従って、条件式（１）を満足することにより、第一反射鏡と第二反射鏡とで互いに打ち消し合う方向で偏心の非点収差を補正することができる。光学系には様々な視野からの光が入射し、偏心による非点収差の発生量も視野によって異なる。条件式（１）は、複数の反射鏡が収差を互いに相殺しながら補正するのに必要な条件を表している。なお、上述の効果を十分に発揮するには、条件式（１）の下限値を−０．０００００００３とすることが好ましい。
【００２０】
本発明では、収差の良好な補正のために、第一反射鏡の回転非対称な非球面が次の式（２）により規定され、且つ次の条件式（３）を満足することが好ましい。式（２）では、第一反射鏡の回転非対称な非球面の接平面の原点における法線方向をｚ方向とし、接平面と基準面との交線の方向をｙ方向とし、接平面内でｙ方向と直交する方向をｘ方向とし、非球面のｚ方向のサグ量をｓとし、ｍおよびｎを０を含む自然数とし、単項式ｘm・ｙnの係数をＣ1（ｍ，ｎ）としている。
【００２１】
【数１】
2014106431.tif 000003
【００２２】
条件式（３）の下限値を下回ると、歪曲収差が大きく発生する傾向が顕著になるため好ましくない。一方、条件式（３）の上限値を上回ると、非対称収差が大きく発生する傾向が顕著になるため好ましくない。なお、上述の効果を十分に発揮するには、条件式（３）の下限値を−０．００２とすることが好ましい。また、上述の効果を十分に発揮するには、条件式（３）の上限値を０．０００１７３とすることが好ましい。
【００２３】
同様に、本発明では、収差の良好な補正のために、第二反射鏡の回転非対称な非球面が次の式（４）により規定され、且つ次の条件式（５）を満足することが好ましい。式（４）では、第二反射鏡の回転非対称な非球面の接平面の原点における法線方向をｚ方向とし、接平面と基準面との交線の方向をｙ方向とし、接平面内でｙ方向と直交する方向をｘ方向とし、非球面のｚ方向のサグ量をｓとし、ｍおよびｎを０を含む自然数とし、単項式ｘm・ｙnの係数をＣ2（ｍ，ｎ）としている。
【００２４】
【数２】
2014106431.tif 000004
【００２５】
条件式（３）の場合と同様に、条件式（５）の下限値を下回ると、歪曲収差が大きく発生する傾向が顕著になるため好ましくない。一方、条件式（５）の上限値を上回ると、非対称収差が大きく発生する傾向が顕著になるため好ましくない。なお、上述の効果を十分に発揮するには、条件式（５）の下限値を−０．００５とすることが好ましい。また、上述の効果を十分に発揮するには、条件式（５）の上限値を０．００４とすることが好ましい。
【００２６】
以下、実施形態を、添付図面に基づいて説明する。図１は、実施形態の各実施例にかかる反射撮影レンズの基本構成を概略的に示す図である。各実施例にかかる反射撮影レンズは、例えばカメラに用いられる撮影レンズであって、図１に示すように、物体側から光の入射順に、第一反射鏡ＣＭ１と、第二反射鏡ＣＭ２と、第三反射鏡ＣＭ３と、第四反射鏡ＣＭ４とを有する。ただし、第７実施例および第８実施例では、第四反射鏡ＣＭ４と像面ＩＭとの間の光路中に合焦光学系が付設されている。
【００２７】
図１において、基準軸ＡＸａは、無限遠にある物体の中心と第一反射鏡ＣＭ１の中心（反射面の原点）とを結ぶ直線である。基準軸ＡＸｂは、第一反射鏡ＣＭ１の中心と第二反射鏡ＣＭ２の中心（反射面の原点）とを結ぶ直線である。基準軸ＡＸｃは、第二反射鏡ＣＭ２の中心と第三反射鏡ＣＭ３の中心（反射面の原点）とを結ぶ直線である。基準軸ＡＸｄは、第三反射鏡ＣＭ３の中心と第四反射鏡ＣＭ４の中心（反射面の原点）とを結ぶ直線である。基準軸ＡＸｅは、像面ＩＭの中心を通る法線により規定される第一基準軸であって、第四反射鏡ＣＭ４の中心と像面ＩＭの中心とを結ぶ直線である。
【００２８】
図１では、全体座標系（Ｘ，Ｙ，Ｚ）として、図１の紙面に垂直な方向にＸ軸を、図１の紙面に沿って鉛直方向にＹ軸を、図１の紙面に沿って水平方向にＺ軸を設定している。各実施例において、基準軸ＡＸａ，ＡＸｃ，ＡＸｅは、Ｚ軸に沿って水平方向に延びている。すべての基準軸ＡＸａ〜ＡＸｅは、図１の紙面（ＹＺ平面）に沿ってそれぞれ直線状に延びている。すなわち、基準軸ＡＸａ〜ＡＸｅは、ＹＺ平面に沿った断面構成ではジグザグ状であるが、ＸＺ平面に沿った断面構成では１本の直線に重なって見える。像面ＩＭはＸＹ面に平行な平面であり、物体面と像面ＩＭとは平行である。以下、基準軸ＡＸａ〜ＡＸｅを含む平面（第一基準軸ＡＸｅを含んで像面ＩＭに垂直な平面）すなわちＹＺ平面を基準面とする。
【００２９】
図１では、第一反射鏡ＣＭ１〜第四反射鏡ＣＭ４における局所座標系（ｘ，ｙ，ｚ）をそれぞれ設定している。第一反射鏡ＣＭ１の局所座標系において、ｘ軸はＸ軸と平行に設定され、ｙｚ平面はＹＺ平面と一致するように設定され、ｙ軸はＹ軸を時計廻りに角度θ０１だけ回転させて得られる方向と一致している。すなわち、第一反射鏡ＣＭ１の局所座標系のｙ軸が全体座標系のＹ軸となす角度の大きさはθ０１である。第二反射鏡ＣＭ２の局所座標系において、ｘ軸はＸ軸と平行に設定され、ｙｚ平面はＹＺ平面と一致するように設定され、ｙ軸はＹ軸を時計廻りに角度θ０２だけ回転させて得られる方向と一致している。すなわち、第二反射鏡ＣＭ２の局所座標系のｙ軸が全体座標系のＹ軸となす角度の大きさはθ０２である。
【００３０】
第三反射鏡ＣＭ３の局所座標系において、ｘ軸はＸ軸と平行に設定され、ｙｚ平面はＹＺ平面と一致するように設定され、ｙ軸はＹ軸を反時計廻りに角度θ０３だけ回転させて得られる方向と一致している。すなわち、第三反射鏡ＣＭ３の局所座標系のｙ軸が全体座標系のＹ軸となす角度の大きさはθ０３である。第四反射鏡ＣＭ４の局所座標系において、ｘ軸はＸ軸と平行に設定され、ｙｚ平面はＹＺ平面と一致するように設定され、ｙ軸はＹ軸を反時計廻りに角度θ０４だけ回転させて得られる方向と一致している。すなわち、第四反射鏡ＣＭ４の局所座標系のｙ軸が全体座標系のＹ軸となす角度の大きさはθ０４である。
【００３１】
各実施例において、角度の大きさθ０１とθ０２とθ０３とθ０４とは互いに同じ（あるいは互いにほぼ同じ）である。第一反射鏡ＣＭ１の反射面は回転非対称な非球面であって、基準面内及び基準面に垂直なｘｚ平面内で物体側に凹面である形状を有する。第二反射鏡ＣＭ２の反射面、第三反射鏡ＣＭ３の反射面、および第四反射鏡ＣＭ４の反射面は、回転非対称な非球面である。
【００３２】
第一反射鏡ＣＭ１〜第四二反射鏡ＣＭ４は、物体からの光束の中央部分が遮られることなく像面ＩＭに達するように、ひいては中央部分の欠如していない中実断面の光束が像面ＩＭに物体像を形成するように偏心配置されている。第一反射鏡ＣＭ１〜第四反射鏡ＣＭ４における回転非対称な非球面（すなわち自由曲面）は、次の式（ａ）により規定されている。式（ａ）において、ｓは非球面のｚ方向のサグ量（単位：ｍｍ）であり、ｍおよびｎは０を含む自然数であり、Ｃ（ｍ，ｎ）は単項式ｘm・ｙnの係数である。
【００３３】
【数３】
2014106431.tif 000005
【００３４】
本実施形態の各実施例にかかる反射撮影レンズでは、収差の良好な補正と小型化との両立を図ることができるだけでなく、中央部分の欠如していない中実断面の光束が物体像を形成するので、デフォーカスに起因するリング状のボケが発生することなく、自然な物体像が得られる。
【００３５】
［第１実施例］
図２は、第１実施例にかかる反射撮影レンズのＹＺ平面に沿った断面構成を概略的に示す図である。図３は、第１実施例にかかる反射撮影レンズのＸＺ平面に沿った断面構成を概略的に示す図である。第１実施例を含む各実施例では、第一反射鏡ＣＭ１の反射面の位置に開口絞りを配置することができる。図２およびこれに対応する図７，図１１，図１５，図１９，図２３，図２７，図３７では、図面の明瞭化のために、第一反射鏡ＣＭ１を仮想的に透過した光の光路中に配置された開口絞りを示している。
【００３６】
第１実施例〜第６実施例では、第一反射鏡ＣＭ１よりも物体側において参照符号ＩＰで示す位置に、保護ガラスとしての平行平面板を配置することができる。次の表（１）に、第１実施例にかかる反射撮影レンズの諸元の値を掲げる。表（１）の光学部材諸元の欄において、面番号は無限遠にある物体から像面ＩＭへの光の進行する経路に沿った物体側からの面の順序を示している。すなわち、第１面は第一反射鏡ＣＭ１の反射面であり、第２面は第二反射鏡ＣＭ２の反射面であり、第３面は第三反射鏡ＣＭ３の反射面であり、第４面は第四反射鏡ＣＭ４の反射面であり、第５面は像面ＩＭである。
【００３７】
また、表（１）の光学部材諸元の欄には、各面における局所座標系（ｘ，ｙ，ｚ）の原点のＸ座標（単位：ｍｍ）、Ｙ座標（単位：ｍｍ）、Ｚ座標（単位：ｍｍ）、およびｙ軸のＹ軸に対する傾き角δ（単位：度）を示している。傾き角δは、対応する図の紙面においてＹ軸を反時計廻りに鋭角だけ回転させた方向とｙ軸とが一致する場合には正の値を、Ｙ軸を時計廻りに鋭角だけ回転させた方向とｙ軸とが一致する場合には負の値をとるものとする。
【００３８】
したがって、図１および図２を参照すると、第１面である第一反射鏡ＣＭ１の反射面における局所座標系（ｘ，ｙ，ｚ）の傾き角δは、θ０１であり、負の値をとる。第２面である第二反射鏡ＣＭ２の反射面における局所座標系（ｘ，ｙ，ｚ）の傾き角δは、θ０２であり、負の値をとる。第３面である第三反射鏡ＣＭ３の反射面における局所座標系（ｘ，ｙ，ｚ）の傾き角δは、θ０３であり、正の値をとる。第４面である第四反射鏡ＣＭ４の反射面における局所座標系（ｘ，ｙ，ｚ）の傾き角δは、θ０４であり、正の値をとる。
【００３９】
表（１）の非球面データの欄は、第一反射鏡ＣＭ１〜第四反射鏡ＣＭ４における回転非対称な非球面（自由曲面）を規定する式（ａ）の各パラメータを示している。なお、表（１）における表記は、以降の表（２）〜表（８）においても同様である。
【００４０】
表（１）
＜光学部材諸元＞
面番号   Ｘ座標        Ｙ座標      Ｚ座標      傾き角δ
1           0           0.000       0.000     -34.889         （ＣＭ１）
2           0          96.075     -35.238     -34.889         （ＣＭ２）
3           0          96.067      95.212      34.889         （ＣＭ３）
4           0           0.006      60.018      34.889         （ＣＭ４）
5           0           0.000     150.000       0.000         （ＩＭ）
＜非球面データ＞
面番号          1                2                3                 4
C(2,0)    -0.00111196      -0.00127119       -0.00125218       -0.00174605
C(1,1)     0                0                 0                 0
C(0,2)    -0.000480694      0.000174116       0.000618903       0.000153427
C(3,0)     0                0                 0                 0
C(1,2)    -0.000002        -0.000004         -0.000003         -3.70426E-07
C(2,1)     0                0                 0                 0
C(0,3)    -2.24695E-07      0.000002          0.000007          0.000003
C(4,0)     8.17556E-10      6.32012E-09      -3.68341E-09      -1.03485E-07
C(3,1)     0                0                 0                 0
C(2,2)    -6.5826E-10       3.66535E-09      -4.387E-08        -1.16499E-07
C(1,3)     0                0                 0                 0
C(0,4)     5.59211E-09      2.95256E-08       1.08619E-07       7.09422E-08
C(5,0)     0                0                 0                 0
C(4,1)     3.68759E-12      6.78161E-11       6.37777E-11       3.22938E-10
C(3,2)     0                0                 0                 0
C(2,3)     1.0378E-11       1.94033E-10      -4.46774E-10       6.30174E-10
C(1,4)     0                0                 0                 0
C(0,5)     2.1576E-11       1.67307E-10       6.03942E-10      -1.72657E-09
C(6,0)     9.30004E-15      5.60321E-14      -2.14873E-13      -1.13739E-11
C(5,1)     0                0                 0                 0
C(4,2)     4.02132E-14      6.05657E-13       8.25947E-13      -1.56772E-11
C(3,3)     0                0                 0                 0
C(2,4)     8.07025E-14      1.16582E-12      -5.41036E-12       2.53656E-13
C(1,5)     0                0                 0                 0
C(0,6)     5.95145E-14      2.83865E-14      -1.29953E-12      -4.34571E-11
C(7,0)     0                0                 0                 0
C(6,1)     1.51564E-15      3.96279E-14       9.38923E-14       3.09796E-12
C(5,2)     0                0                 0                 0
C(4,3)     4.26289E-16      3.26447E-16      -4.08818E-14      -1.62462E-12
C(3,4)     0                0                 0                 0
C(2,5)     5.68713E-17     -3.80918E-15      -6.82503E-14      -3.21826E-13
C(1,6)     0                0                 0                 0
C(0,7)     2.19776E-16     -3.18348E-15       5.42582E-14       1.18377E-12
＜条件対応値＞
Ａ１１＝−０．０００４８０６９４
Ａ１２＝−０．００１１１１９６
Ａ２１＝０．０００１７４１１６
Ａ２２＝−０．００１２７１１９
（１）（Ａ１２−Ａ１１）×（Ａ２２−Ａ２１）＝９．１２３７３Ｅ−０７
（３）Ｃ1（２，０）−Ｃ1（０，２）＝−０．０００６３
（５）Ｃ2（２，０）−Ｃ2（０，２）＝−０．００１４５
【００４１】
図４は、第１実施例の歪曲収差を示す図である。図５は、第１実施例のｅ線に対する収差をスポットダイアグラムで示す図である。図６は、各実施例のスポットダイアグラムにおける９つの像点の位置を示す図である。各実施例では、ＦＸフォーマットのデジタルカメラを想定し、図６に示すように、３６ｍｍ×２４ｍｍの矩形状の像面ＩＭ内での９つの像点（視点）Ｓ１〜Ｓ９でのスポットを計算した。図５における単位スケールの長さは、０．１ｍｍ＝１００μｍである。図５の表記は、対応する図１０，図１４，図１８，図２２，図２６，図３１〜図３６，図４１〜図４６においても同様である。ｅ線（５４６．０７ｎｍ）は本実施形態における基準波長であり、ｇ線は一般に可視光学系を検討する際の最も短い波長であり、Ｃ線は一般に可視光学系を検討する際の最も長い波長である。
【００４２】
図４を参照すると、第１実施例では歪曲収差が良好に補正されていることが分かる。図５を参照すると、第１実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。なお、第１実施例について、e線の収差しか示していないが、光学系が反射鏡のみにより構成されているので、当然、色収差はなく、他の波長についてもe線と全く同じ収差になるので、他の波長についての図示を省略した。
【００４３】
［第２実施例］
図７は、第２実施例にかかる反射撮影レンズのＹＺ平面に沿った断面構成を概略的に示す図である。図８は、第２実施例にかかる反射撮影レンズのＸＺ平面に沿った断面構成を概略的に示す図である。次の表（２）に、第２実施例にかかる反射撮影レンズの諸元の値を掲げる。
【００４４】
表（２）
＜光学部材諸元＞
面番号   Ｘ座標        Ｙ座標      Ｚ座標      傾き角δ
1           0           0.000       0.000     -35.099         （ＣＭ１）
2           0          95.909     -34.713     -35.099         （ＣＭ２）
3           0          95.953      94.851      35.099         （ＣＭ３）
4           0           0.078      60.249      35.099         （ＣＭ４）
5           0           0.000     150.000       0.000         （ＩＭ）
＜非球面データ＞
面番号          1                2                3                 4
C(2,0)    -0.00164987      -0.00327485       -0.000987512       0.000388435
C(1,1)     0                0                 0                 0
C(0,2)     0.00005          0.000755856      -0.000021         -0.00152649
C(3,0)     0                0                 0                 0
C(2,1)    -0.000001        -0.000004         -0.000015         -0.000044
C(1,2)     0                0                 0                 0
C(0,3)     0.000001         0.000003          0.000008          0.000011
C(4,0)     5.937E-10        3.31171E-08       1.15318E-08      -6.40427E-08
C(3,1)     0                0                 0                 0
C(2,2)     8.75011E-09      6.0866E-08        3.60206E-10       1.22692E-07
C(1,3)     0                0                 0                 0
C(0,4)     1.08945E-08      1.98768E-08       5.29289E-08      -9.07935E-08
C(5,0)     0                0                 0                 0
C(4,1)     2.28753E-11      3.65088E-10      -5.0743E-12       -9.04166E-10
C(3,2)     0                0                 0                 0
C(2,3)     8.17038E-11      4.94301E-10      -3.52291E-10      -1.23492E-09
C(1,4)     0                0                 0                 0
C(0,5)     4.96918E-11      8.35365E-11       4.49451E-10       2.86075E-10
C(6,0)     1.82278E-14     -7.48314E-13      -5.81015E-13       -5.65052E-12
C(5,1)     0                0                 0                 0
C(4,2)     3.48485E-13      3.23228E-12       2.65138E-12      -1.76242E-11
C(3,3)     0                0                 0                 0
C(2,4)     6.44134E-13      1.66026E-12       9.29621E-13       1.78315E-11
C(1,5)     0                0                 0                 0
C(0,6)     5.98521E-13      6.81299E-13       7.83144E-12       4.06735E-11
C(7,0)     0                0                 0                 0
C(6,1)     3.47916E-16     -1.37135E-14      -1.7864E-14       -3.56175E-13
C(5,2)     0                0                 0                 0
C(4,3)     3.01841E-15      1.26051E-14       6.09128E-15       1.84398E-13
C(3,4)     0                0                 0                 0
C(2,5)     4.31301E-15     -1.09441E-15      -1.90044E-14      -2.93239E-13
C(1,6)     0                0                 0                 0
C(0,7)     4.04483E-15      4.12554E-15       7.8407E-14       -1.37302E-12
＜条件対応値＞
Ａ１１＝０．００００５
Ａ１２＝−０．００１６４９８７
Ａ２１＝０．０００７５５８５６
Ａ２２＝−０．００３２７４８５
（１）（Ａ１２−Ａ１１）×（Ａ２２−Ａ２１）＝６．８５１６８Ｅ−０６
（３）Ｃ1（２，０）−Ｃ1（０，２）＝−０．００１７０
（５）Ｃ2（２，０）−Ｃ2（０，２）＝−０．００４０３
【００４５】
図９は、第２実施例の歪曲収差を示す図である。図１０は、第２実施例のｅ線に対する収差をスポットダイアグラムで示す図である。図９を参照すると、第２実施例の歪曲収差は図４の第１実施例の歪曲収差よりも大きいことが分かる。条件式（３）および条件式（５）に着目すると、第２実施例の各条件式対応値は、第１実施例における各条件式対応値に比して、条件式（３）および条件式（５）の範囲の限界値近くにあることが分かる。つまり、本発明が示す条件式（３）および条件式（５）が良好な光学性能を与える条件であることが分かる。図１０を参照すると、第２実施例では、スポットサイズが各像点Ｓ１〜Ｓ９で十分小さく、像面ＩＭの全体に亘って収差が均一で且つ良く補正されていることが分かる。ただし、第２実施例では、スポットサイズも第１実施例に比して劣ることが分かる。なお、第２実施例についてもe線の収差しか示していないが、光学系が反射鏡のみにより構成されているので、当然、色収差はなく、他の波長についてもe線と全く同じ収差になるので、他の波長についての図示を省略した。
【００４６】
［第３実施例］
図１１は、第３実施例にかかる反射撮影レンズのＹＺ平面に沿った断面構成を概略的に示す図である。図１２は、第３実施例にかかる反射撮影レンズのＸＺ平面に沿った断面構成を概略的に示す図である。次の表（３）に、第３実施例にかかる反射撮影レンズの諸元の値を掲げる。
【００４７】
表（３）
＜光学部材諸元＞
面番号   Ｘ座標        Ｙ座標      Ｚ座標      傾き角δ
1           0           0.000       0.000     -35.006         （ＣＭ１）
2           0          95.983     -34.947     -35.006         （ＣＭ２）
3           0          95.956      94.861      35.006         （ＣＭ３）
4           0          -0.044      59.859      35.006         （ＣＭ４）
5           0           0.000     150.000       0.000         （ＩＭ）
＜非球面データ＞
面番号          1                2                3                 4
C(2,0)    -0.0011707       -0.0014343        -0.00120246       -0.0012942
C(1,1)     0                0                 0                 0
C(0,2)    -0.00120324      -0.00259378       -0.000204714       0.00103217
C(3,0)     0                0                 0                 0
C(2,1)    -0.000002        -0.00001           0.000007          0.000026
C(1,2)     0                0                 0                 0
C(0,3)    -0.000002        -0.000012          0.000007          0.000006
C(4,0)    1.4038E-10        1.28146E-09      -7.72694E-09      -1.43306E-07
C(3,1)     0                0                 0                 0
C(2,2)    -5.31467E-09     -3.5286E-08        3.91641E-09      -2.74444E-07
C(1,3)     0                0                 0                 0
C(0,4)    -2.95034E-09      2.43526E-08       9.11247E-08       2.3799E-08
C(5,0)     0                0                 0                 0
C(4,1)    -2.55017E-12      1.30791E-10       7.95753E-11       3.51119E-09
C(3,2)     0                0                 0                 0
C(2,3)    -9.36814E-12      6.07955E-10       3.987E-10         2.51964E-09
C(1,4)     0                0                 0                 0
C(0,5)     3.18353E-12      1.60101E-09       1.63349E-09       1.05336E-09
C(6,0)    -4.8482E-15      -1.01114E-13      -2.58568E-13      -1.84073E-11
C(5,1)     0                0                 0                 0
C(4,2)    -3.58513E-15      2.98906E-12      -4.70375E-13      -5.99341E-11
C(3,3)     0                0                 0                 0
C(2,4)     1.64494E-14      1.54416E-11       1.97836E-12      -4.91561E-11
C(1,5)     0                0                 0                 0
C(0,6)     5.40651E-14      1.80643E-11       1.14802E-11      -3.28741E-11
C(7,0)     0                0                 0                 0
C(6,1)     1.47029E-16      1.15768E-14       3.30961E-14       1.31027E-12
C(5,2)     0                0                 0                 0
C(4,3)    -2.28175E-16     -6.37977E-15      -1.19453E-13      -3.5323E-13
C(3,4)     0                0                 0                 0
C(2,5)    1.90901E-16       1.13312E-13      -6.04779E-15       9.1323E-13
C(1,6)     0                0                 0                 0
C(0,7)    2.63936E-16       4.97123E-14       1.41463E-14       4.14852E-14
＜条件対応値＞
Ａ１１＝−０．００１２０３２４
Ａ１２＝−０．００１１７０７
Ａ２１＝−０．００２５９３７８
Ａ２２＝−０．００３２７４８５
（１）（Ａ１２−Ａ１１）×（Ａ２２−Ａ２１）＝−２．２１６２Ｅ−０８
（３）Ｃ1（２，０）−Ｃ1（０，２）＝３．２５４０Ｅ−０５
（５）Ｃ2（２，０）−Ｃ2（０，２）＝−６．８１０７Ｅ−０４
【００４８】
図１３は、第３実施例の歪曲収差を示す図である。図１４は、第３実施例のｅ線に対する収差をスポットダイアグラムで示す図である。図１３を参照すると、第３実施例では歪曲収差が良好に補正されていることが分かる。図１４を参照すると、第３実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。なお、第３実施例についてもe線の収差しか示していないが、光学系が反射鏡のみにより構成されているので、当然、色収差はなく、他の波長についてもe線と全く同じ収差になるので、他の波長についての図示を省略した。
【００４９】
［第４実施例］
図１５は、第４実施例にかかる反射撮影レンズのＹＺ平面に沿った断面構成を概略的に示す図である。図１６は、第４実施例にかかる反射撮影レンズのＸＺ平面に沿った断面構成を概略的に示す図である。次の表（４）に、第４実施例にかかる反射撮影レンズの諸元の値を掲げる。
【００５０】
表（４）
＜光学部材諸元＞
面番号   Ｘ座標        Ｙ座標      Ｚ座標      傾き角δ
1           0           0.000       0.000     -35.306         （ＣＭ１）
2           0          95.741     -34.188     -35.306         （ＣＭ２）
3           0          95.825      94.450      35.306         （ＣＭ３）
4           0           0.111      60.350      35.306         （ＣＭ４）
5           0           0.000     150.000       0.000         （ＩＭ）
＜非球面データ＞
面番号          1                2                3                 4
C(2,0)    -0.00180778      -0.00414062       -0.000734668       0.001069
C(1,1)     0                0                 0                 0
C(0,2)    -0.000245633      0.000505802       0.000430981      -0.00042515
C(3,0)     0                0                 0                 0
C(2,1)    -0.000002        -0.000013         -0.000024         -0.000042
C(1,2)     0                0                 0                 0
C(0,3)     1.94065E-07      0.000002          0.000006          0.000004
C(4,0)    -5.97205E-10      3.6242E-08        3.24732E-08      -4.06083E-08
C(3,1)     0                0                 0                 0
C(2,2)     4.06067E-10      2.88507E-08      -1.19099E-08       8.33902E-08
C(1,3)     0                0                 0                 0
C(0,4)    9.06598E-09       2.68536E-08       9.68667E-08       7.51517E-08
C(5,0)     0                0                 0                 0
C(4,1)    8.79733E-12       5.82158E-10       2.53997E-10      -5.0684E-11
C(3,2)     0                0                 0                 0
C(2,3)    3.64733E-11       7.1795E-10       -1.18784E-09      -2.31129E-10
C(1,4)     0                0                 0                 0
C(0,5)     3.55401E-11      1.46624E-10       6.73584E-10      -2.11633E-09
C(6,0)     9.58321E-15     -8.79973E-13      -1.04094E-12      -4.12621E-12
C(5,1)     0                0                 0                 0
C(4,2)     1.8504E-13       7.82866E-12       1.06987E-11      -1.42008E-12
C(3,3)     0                0                 0                 0
C(2,4)     2.5809E-13       4.26948E-12      -8.19613E-12       1.1516E-12
C(1,5)     0                0                 0                 0
C(0,6)     1.8672E-13       3.41701E-13       3.30594E-12      -5.00837E-11
C(7,0)     0                0                 0                 0
C(6,1)    -3.73942E-17     -9.3625E-14       -1.12091E-13      -5.07602E-13
C(5,2)     0                0                 0                 0
C(4,3)     1.22107E-15      4.9016E-14        2.52999E-14      -3.09476E-14
C(3,4)     0                0                 0                 0
C(2,5)     1.81649E-15      8.73054E-15      -1.02161E-16       4.62751E-13
C(1,6)     0                0                 0                 0
C(0,7)     1.22301E-15      7.61707E-16       1.3265E-13        2.12789E-12
＜条件対応値＞
Ａ１１＝−０．０００２４５６３
Ａ１２＝−０．００１８０７７８
Ａ２１＝０．０００５０５８０２
Ａ２２＝−０．００４１４０６２
（１）（Ａ１２−Ａ１１）×（Ａ２２−Ａ２１）＝７．２５８４Ｅ−０６
（３）Ｃ1（２，０）−Ｃ1（０，２）＝−０．００１５６
（５）Ｃ2（２，０）−Ｃ2（０，２）＝−０．００４６５
【００５１】
図１７は、第４実施例の歪曲収差を示す図である。図１８は、第４実施例のｅ線に対する収差をスポットダイアグラムで示す図である。図１７を参照すると、第４実施例の歪曲収差は比較的良く補正されているが、やはり、第１実施例の歪曲収差（図４）よりも大きい。これは、第４実施例においても、条件式（３）および条件式（５）の条件式対応値が、第１実施例に比して条件式（３）および条件式（５）の範囲の限界値に近いことによるものと考えられる。図１８を参照すると、第４実施例では、スポットサイズが各像点Ｓ１〜Ｓ９で十分小さく、像面ＩＭの全体に亘って収差が均一で且つ良く補正されていることが分かる。なお、第４実施例についてもe線の収差しか示していないが、光学系が反射鏡のみにより構成されているので、当然、色収差はなく、他の波長についてもe線と全く同じ収差になるので、他の波長についての図示を省略した。
【００５２】
［第５実施例］
図１９は、第５実施例にかかる反射撮影レンズのＹＺ平面に沿った断面構成を概略的に示す図である。図２０は、第５実施例にかかる反射撮影レンズのＸＺ平面に沿った断面構成を概略的に示す図である。次の表（５）に、第５実施例にかかる反射撮影レンズの諸元の値を掲げる。
【００５３】
表（５）
＜光学部材諸元＞
面番号   Ｘ座標        Ｙ座標      Ｚ座標      傾き角δ
1           0           0.000       0.000     -35.004         （ＣＭ１）
2           0          95.985     -34.951     -35.004         （ＣＭ２）
3           0          95.932      94.784      35.004         （ＣＭ３）
4           0          -0.059      59.812      35.004         （ＣＭ４）
5           0           0.000     150.000       0.000         （ＩＭ）
＜非球面データ＞
面番号          1                2                3                 4
C(2,0)    -0.00127362      -0.00182229       -0.00132999       -0.00120444
C(1,1)     0                0                 0                 0
C(0,2)    -0.00144573      -0.00540615       -0.00103442        0.000836174
C(3,0)     0                0                 0                 0
C(2,1)    -0.000003        -0.000017          0.000011          0.000037
C(1,2)     0                0                 0                 0
C(0,3)    -0.000003        -0.000033          0.000005          0.000009
C(4,0)    -2.80591E-10     -2.58974E-09      -8.91126E-09      -1.8627E-07
C(3,1)     0                0                 0                 0
C(2,2)    -6.97191E-09     -8.92492E-08       1.89796E-08      -4.08741E-07
C(1,3)     0                0                 0                 0
C(0,4)    -6.37061E-09     -1.36782E-07       4.18658E-08      -5.04794E-08
C(5,0)     0                0                 0                 0
C(4,1)    -3.5712E-12       2.35514E-10       1.36294E-10       5.41726E-09
C(3,2)     0                0                 0                 0
C(2,3)    -1.70892E-11      1.08873E-09       6.61535E-10       5.41695E-09
C(1,4)     0                0                 0                 0
C(0,5)    -1.05145E-11      3.65758E-09       1.03609E-09       2.67397E-09
C(6,0)    -7.04872E-15     -1.7055E-13       -3.43195E-13      -2.45502E-11
C(5,1)     0                0                 0                 0
C(4,2)    -1.14998E-14      6.83177E-12      -4.27555E-13      -1.16339E-10
C(3,3)     0                0                 0                 0
C(2,4)    -3.35864E-14      4.69618E-11       4.89101E-12      -1.25273E-10
C(1,5)     0                0                 0                 0
C(0,6)     9.97669E-15      1.05103E-10       1.06193E-11      -5.0543E-11
C(7,0)     0                0                 0                 0
C(6,1)    -3.14649E-16     -2.88214E-14       4.20082E-15       1.03447E-12
C(5,2)     0                0                 0                 0
C(4,3)    -5.54554E-16     -1.54481E-13      -7.0014E-14        8.16617E-13
C(3,4)     0                0                 0                 0
C(2,5)    -2.65536E-16      1.62381E-13       1.33449E-14       1.65347E-12
C(1,6)     0                0                 0                 0
C(0,7)     1.63322E-16      1.24837E-12       5.77041E-14       1.99324E-13
＜条件対応値＞
Ａ１１＝−０．００１４４５７
Ａ１２＝−０．００１２７３６
Ａ２１＝−０．００５４０６２
Ａ２２＝−０．００１８２２３
（１）（Ａ１２−Ａ１１）×（Ａ２２−Ａ２１）＝６．１６８２Ｅ−０７
（３）Ｃ1（２，０）−Ｃ1（０，２）＝０．０００１７
（５）Ｃ2（２，０）−Ｃ2（０，２）＝０．００３５８
【００５４】
図２１は、第５実施例の歪曲収差を示す図である。図２２は、第５実施例のｅ線に対する収差をスポットダイアグラムで示す図である。図２１を参照すると、第５実施例では歪曲収差が良好に補正されていることが分かる。図２２を参照すると、第５実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。なお、第５実施例についてもe線の収差しか示していないが、光学系が反射鏡のみにより構成されているので、当然、色収差はなく、他の波長についてもe線と全く同じ収差になるので、他の波長についての図示を省略した。
【００５５】
［第６実施例］
図２３は、第６実施例にかかる反射撮影レンズのＹＺ平面に沿った断面構成を概略的に示す図である。図２４は、第６実施例にかかる反射撮影レンズのＸＺ平面に沿った断面構成を概略的に示す図である。次の表（６）に、第６実施例にかかる反射撮影レンズの諸元の値を掲げる。
【００５６】
表（６）
＜光学部材諸元＞
面番号   Ｘ座標        Ｙ座標      Ｚ座標      傾き角δ
1           0           0.000       0.000     -35.004         （ＣＭ１）
2           0          95.985     -34.951     -35.004         （ＣＭ２）
3           0          95.932      94.784      35.004         （ＣＭ３）
4           0          -0.059      59.812      35.004         （ＣＭ４）
5           0           0.000     150.000       0.000         （ＩＭ）
＜非球面データ＞
面番号          1                2                3                 4
C(2,0)    -0.000776879     -0.000730729      -0.000882748      -0.000773974
C(1,1)     0                0                 0                 0
C(2,0)    -0.000508897     -0.000239765      -0.000340017      -0.000222311
C(3,0)     0                0                 0                 0
C(2,1)    -0.000001        -0.000002          2.38109E-07       0.000003
C(1,2)     0                0                 0                 0
C(0,3)    -0.000001        -0.000001          0.000001          0.000003
C(4,0)     6.28502E-10      3.32246E-09      -1.9622E-09       -3.55263E-08
C(3,1)     0                0                 0                 0
C(2,2)     1.03722E-09      5.01325E-09       1.30491E-09      -3.10011E-08
C(1,3)     0                0                 0                 0
C(0,4)     4.52142E-09      2.11261E-08       4.65079E-08       1.4864E-07
C(5,0)     0                0                 0                 0
C(4,1)     2.09849E-12      3.15038E-11       1.14905E-11       1.41191E-10
C(3,2)     0                0                 0                 0
C(2,3)     8.27181E-12      1.18652E-10       2.08145E-11       1.51379E-10
C(1,4)     0                0                 0                 0
C(0,5)     1.0314E-11       1.27697E-10       4.29179E-11      -1.74454E-09
C(6,0)     8.02544E-16     -2.16317E-14      -6.41101E-14      -2.41539E-12
C(5,1)     0                0                 0                 0
C(4,2)     1.87548E-14      2.32439E-13      -5.58573E-14      -3.54202E-12
C(3,3)     0                0                 0                 0
C(2,4)     6.58928E-14      6.61561E-13       4.92869E-13       2.0133E-12
C(1,5)     0                0                 0                 0
C(0,6)     3.48619E-14     -1.14263E-13      -2.85204E-14      -4.50035E-11
C(7,0)     0                0                 0                 0
C(6,1)     3.85956E-16      6.45361E-15       1.91907E-14       7.17817E-13
C(5,2)     0                0                 0                 0
C(4,3)     4.13214E-17     -1.0478E-15       -1.65583E-14      -5.85761E-13
C(3,4)     0                0                 0                 0
C(2,5)     1.07595E-16     -2.22434E-15      -3.00808E-15      -2.72507E-14
C(1,6)     0                0                 0                 0
C(0,7)     1.31E-16        -3.64446E-15       1.77322E-14       1.08759E-12
＜条件対応値＞
Ａ１１＝−０．０００５０８９
Ａ１２＝−０．０００７７６８８
Ａ２１＝−０．０００２３９７７
Ａ２２＝−０．０００７３０７３
（１）（Ａ１２−Ａ１１）×（Ａ２２−Ａ２１）＝１．３１５７Ｅ−０７
（３）Ｃ1（２，０）−Ｃ1（０，２）＝−０．０００２７
（５）Ｃ2（２，０）−Ｃ2（０，２）＝−０．０００４９
【００５７】
図２５は、第６実施例の歪曲収差を示す図である。図２６は、第６実施例のｅ線に対する収差をスポットダイアグラムで示す図である。図２５を参照すると、第６実施例では歪曲収差が良好に補正されていることが分かる。図２６を参照すると、第６実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。なお、第６実施例についてもe線の収差しか示していないが、光学系が反射鏡のみにより構成されているので、当然、色収差はなく、他の波長についてもe線と全く同じ収差になるので、他の波長についての図示を省略した。
【００５８】
［第７実施例］
図２７は、第７実施例にかかる反射撮影レンズの無限遠合焦状態におけるＹＺ平面に沿った断面構成を概略的に示す図である。図２８は、第７実施例にかかる反射撮影レンズの無限遠合焦状態におけるＸＺ平面に沿った断面構成を概略的に示す図である。図２９は、第７実施例にかかる反射撮影レンズの第１距離合焦状態（物体距離Ｄ＝８９５０５．０ｍｍ）におけるＹＺ平面に沿った断面構成を概略的に示す図である。図３０は、第７実施例にかかる反射撮影レンズの第２距離合焦状態（物体距離Ｄ＝２８８５８．５ｍｍ）におけるＹＺ平面に沿った断面構成を概略的に示す図である。
【００５９】
第７実施例では、第四反射鏡ＣＭ４と像面ＩＭとの間の光路中に、像面ＩＭに対する物体の合焦を行うための合焦光学系ＦＳが付設されている。合焦光学系ＦＳは、第一基準軸ＡＸｅと平行なＺ方向に沿って一体的に移動可能な３つのレンズＬ１，Ｌ２，Ｌ３により構成されている。レンズＬ１は、第四反射鏡ＣＭ４側に凸面Ｒ１１を向け且つ像面ＩＭ側に凹面Ｒ１２を向けたメニスカスレンズである。同様に、レンズＬ２，Ｌ３は、第四反射鏡ＣＭ４側に凸面Ｒ２１，Ｒ３１を向け且つ像面ＩＭ側に凹面Ｒ２２，Ｒ３２を向けたメニスカスレンズである。
【００６０】
レンズＬ１とＬ２とＬ３とは、互いに異なる光学材料により形成されている。表（７）の硝材データの欄において、ｎＣはＣ線（波長：６５６．２７ｎｍ）に対する光学材料の屈折率を、ｎｄはｄ線（波長：５８７．５６ｎｍ）に対する光学材料の屈折率を、ｎeはｅ線（基準波長：５４６．０７ｎｍ）に対する光学材料の屈折率を、ｎＦはＦ線（波長：４８６．１３ｎｍ）に対する光学材料の屈折率を、ｎｇはｇ線（波長：４３５．８３ｎｍ）に対する光学材料の屈折率を示している。第７実施例においても、第１実施例〜第６実施例と同様に、第一反射鏡ＣＭ１よりも物体側の所要位置に、保護ガラスとしての平行平面板を配置することができる。
【００６１】
表（７）の光学部材諸元の欄において、面番号は無限遠にある物体から像面ＩＭへの光の進行する経路に沿った物体側からの面の順序を示している。すなわち、第１面は第一反射鏡ＣＭ１の反射面であり、第２面は第二反射鏡ＣＭ２の反射面であり、第３面は第三反射鏡ＣＭ３の反射面であり、第４面は第四反射鏡ＣＭ４の反射面であり、第５面はレンズＬ１の入射面Ｒ１１であり、第６面はレンズＬ１の射出面Ｒ１２であり、第７面はレンズＬ２の入射面Ｒ２１であり、第８面はレンズＬ２の射出面Ｒ２２であり、第９面はレンズＬ３の入射面Ｒ３１であり、第１０面はレンズＬ３の射出面Ｒ３２であり、第１１面は像面ＩＭである。
【００６２】
また、表（７）の光学部材諸元の欄には、第一反射鏡ＣＭ１〜第四反射鏡ＣＭ４のデータに加えて、無限遠合焦状態におけるレンズＬ１〜Ｌ３の各面の中心のＸ座標（単位：ｍｍ）、Ｙ座標（単位：ｍｍ）、Ｚ座標（単位：ｍｍ）、および傾き角δ（単位：度）を示している。レンズＬ１〜Ｌ３は、傾き角δが０度であり、ＸＹ平面に対して傾くことなく通常の姿勢で配置されている。表（７）のレンズ面データの欄は、レンズＬ１〜Ｌ３の各面の曲率半径（単位：ｍｍ）ｒを示している。ここで、光の入射側に凸面を向けたレンズ面の曲率半径ｒを正としている。
【００６３】
表（７）の合焦光学系の移動量の欄には、無限遠合焦状態における合焦光学系ＦＳの位置を基準として、第１距離合焦状態における合焦光学系ＦＳの無限遠合焦状態からの移動量ΔＤ１（単位：ｍｍ）、および第２距離合焦状態における合焦光学系ＦＳの無限遠合焦状態からの移動量ΔＤ２（単位：ｍｍ）を示している。移動量ΔＤ１，ΔＤ２の値は、像面ＩＭに向かって移動するときに正の値をとるものとする。次の表（７）に、第７実施例にかかる反射撮影レンズの諸元の値を掲げる。なお、表（７）における表記は、表（８）においても同様である。
【００６４】
表（７）
＜硝材データ＞
ｎＣ         ｎｄ         ｎe          ｎＦ         ｎｇ
Ｌ１     1.513855     1.51633      1.518251     1.521905     1.526214
Ｌ２     1.747295     1.755199     1.761671     1.774745     1.791497
Ｌ３     1.544572     1.548141     1.550984     1.556544     1.563351
＜光学部材諸元＞
面番号   Ｘ座標      Ｙ座標      Ｚ座標     傾き角δ
1           0          0.00      -60.00     -37.87       （ＣＭ１）
2           0        190.00     -108.32     -37.87       （ＣＭ２）
3           0        190.00      108.32      37.87       （ＣＭ３）
4           0          0.00       60.00      37.87       （ＣＭ４）
5           0          0.00      100.00       0.00       （Ｌ１；Ｒ１１）
6           0          0.00      103.00       0.00       （Ｌ１；Ｒ１２）
7           0          0.00      108.42       0.00       （Ｌ２；Ｒ２１）
8           0          0.00      111.42       0.00       （Ｌ２；Ｒ２２）
9           0          0.00      113.42       0.00       （Ｌ３；Ｒ３１）
10          0          0.00      121.42       0.00       （Ｌ３；Ｒ３２）
11          0          0.00      330.00       0.00       （ＩＭ）
＜非球面データ＞
面番号          1                2                3                 4
C(2,0)    -4.11103.E-04    -2.90903.E-04     -5.62264.E-04     -5.40325.E-04
C(1,1)     0.0.E+00         0.0.E+00          0.0.E+00          0.0.E+00
C(0,2)    -2.67792.E-04    -2.90085.E-04     -5.06794.E-04     -5.49152.E-04
C(3,0)     0.0.E+00         0.0.E+00          0.0.E+00          0.0.E+00
C(2,1)    -1.41239.E-07    -2.05955.E-07      8.05499.E-07      2.26277.E-06
C(1,2)     0.0.E+00         0.0.E+00          0.0.E+00          0.0.E+00
C(0,3)     1.83465.E-07     9.89000.E-07      1.17666.E-06      3.03799.E-06
C(4,0)     3.54753.E-10     1.21553.E-09     -3.50594.E-10     -5.31580.E-09
C(3,1)     0.0.E+00         0.0.E+00          0.0.E+00          0.0.E+00
C(2,2)     2.64023.E-10     1.05016.E-09     -3.52589.E-09     -2.63365.E-08
C(1,3)     0.0.E+00         0.0.E+00          0.0.E+00          0.0.E+00
C(0,4)     1.09184.E-09     5.46395.E-09      2.56841.E-09     -1.28230.E-08
C(5,0)     0.0.E+00         0.0.E+00          0.0.E+00          0.0.E+00
C(4,1)     1.08935.E-13    -1.19586.E-12     -3.19791.E-12      4.67743.E-12
C(3,2)     0.0.E+00         0.0.E+00          0.0.E+00          0.0.E+00
C(2,3)     7.82206.E-13     2.07412.E-12     -8.68229.E-12      7.91363.E-11
C(1,4)     0.0.E+00         0.0.E+00          0.0.E+00          0.0.E+00
C(0,5)     3.30595.E-12     1.78111.E-11      1.93776.E-11      5.83881.E-11
C(6,0)    -3.17881.E-15    -4.31447.E-14     -7.74547.E-14     -1.00604.E-12
C(5,1)     0.0.E+00         0.0.E+00          0.0.E+00          0.0.E+00
C(4,2)    -3.05460.E-15    -6.67652.E-14     -9.51359.E-14     -1.56024.E-12
C(3,3)     0.0.E+00         0.0.E+00          0.0.E+00          0.0.E+00
C(2,4)    -1.30062.E-15    -5.37642.E-14     -1.43180.E-13     -1.75096.E-12
C(1,5)     0.0.E+00         0.0.E+00          0.0.E+00          0.0.E+00
C(0,6)     6.70080.E-15     1.77774.E-14      6.25179.E-14     -6.87357.E-13
C(7,0)     0.0.E+00         0.0.E+00          0.0.E+00          0.0.E+00
C(6,1)     1.03268.E-16     1.19194.E-15      2.15616.E-15      5.33170.E-14
C(5,2)     0.0.E+00         0.0.E+00          0.0.E+00          0.0.E+00
C(4,3)     9.05481.E-18    -3.04949.E-16     -4.00197.E-16     -1.23283.E-14
C(3,4)     0.0.E+00         0.0.E+00          0.0.E+00          0.0.E+00
C(2,5)     2.68577.E-17     2.32651.E-16     -9.01643.E-17      2.74645.E-14
C(1,6)     0.0.E+00         0.0.E+00          0.0.E+00          0.0.E+00
C(0,7)     2.34479.E-18    -1.49564.E-16      1.11004.E-16     -4.18193.E-15
＜レンズ面データ＞
レンズ面      ｒ
Ｒ１１     146.133
Ｒ１２      70.138
Ｒ２１      63.577
Ｒ２２      59.261
Ｒ３１      63.364
Ｒ３２      99.301
＜合焦光学系の移動量＞
第１距離合焦状態   第２距離合焦状態
ΔＤ１            ΔＤ２
23.18              85.3
＜条件対応値＞
Ａ１１＝−０．０００２６７７９
Ａ１２＝−０．０００４１１１
Ａ２１＝−０．０００２９００８
Ａ２２＝−０．０００２９０９
（１）（Ａ１２−Ａ１１）×（Ａ２２−Ａ２１）＝１．１７３４Ｅ−１０
（３）Ｃ1（２，０）−Ｃ1（０，２）＝−０．０００１４
（５）Ｃ2（２，０）−Ｃ2（０，２）＝−８．１８７７Ｅ−０７
【００６５】
図３１は、第７実施例の無限遠合焦状態におけるｅ線に対する収差をスポットダイアグラムで示す図である。図３２は、第７実施例の第１距離合焦状態におけるｅ線に対する収差をスポットダイアグラムで示す図である。図３３は、第７実施例の第２距離合焦状態におけるｅ線に対する収差をスポットダイアグラムで示す図である。図３４は、第７実施例の無限遠合焦状態におけるｇ線に対する収差をスポットダイアグラムで示す図である。図３５は、第７実施例の第１距離合焦状態におけるｇ線に対する収差をスポットダイアグラムで示す図である。図３６は第７実施例の第２距離合焦状態におけるｇ線に対する収差をスポットダイアグラムで示す図である。
【００６６】
図３１〜図３６を参照すると、第７実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。また、e線とｇ線とでほぼ同じ収差を示しており、色収差がほとんど発生していないことが分かる。
【００６７】
［第８実施例］
図３７は、第８実施例にかかる反射撮影レンズの無限遠合焦状態におけるＹＺ平面に沿った断面構成を概略的に示す図である。図３８は、第８実施例にかかる反射撮影レンズの無限遠合焦状態におけるＸＺ平面に沿った断面構成を概略的に示す図である。図３９は、第８実施例にかかる反射撮影レンズの第１距離合焦状態（物体距離Ｄ＝８９９８９．７５ｍｍ）におけるＹＺ平面に沿った断面構成を概略的に示す図である。図４０は、第８実施例にかかる反射撮影レンズの第２距離合焦状態（物体距離Ｄ＝２９０７８．９１ｍｍ）におけるＹＺ平面に沿った断面構成を概略的に示す図である。
【００６８】
第８実施例では、第四反射鏡ＣＭ４と像面ＩＭとの間の光路中に、像面ＩＭに対する物体の合焦を行うための合焦光学系ＦＳおよびレンズＬ４が付設されている。合焦光学系ＦＳは、第一基準軸ＡＸｅと平行なＺ方向に沿って一体的に移動可能な３つのレンズＬ１，Ｌ２，Ｌ３により構成されている。レンズＬ１は、第四反射鏡ＣＭ４側に凸面Ｒ１１を向け且つ像面ＩＭ側に凹面Ｒ１２を向けたメニスカスレンズである。同様に、レンズＬ２，Ｌ３，Ｌ４は、第四反射鏡ＣＭ４側に凸面Ｒ２１，Ｒ３１，Ｒ４１を向け且つ像面ＩＭ側に凹面Ｒ２２，Ｒ３２，Ｒ４２を向けたメニスカスレンズである。
【００６９】
レンズＬ１とＬ２とＬ３とは、互いに異なる光学材料により形成されている。レンズＬ２とＬ４とは、互いに同じ光学材料により形成されている。第８実施例においても、第１実施例〜第７実施例と同様に、第一反射鏡ＣＭ１よりも物体側の所要位置に、保護ガラスとしての平行平面板を配置することができる。
【００７０】
表（８）の光学部材諸元の欄において、面番号は無限遠にある物体から像面ＩＭへの光の進行する経路に沿った物体側からの面の順序を示している。すなわち、第１面は第一反射鏡ＣＭ１の反射面であり、第２面は第二反射鏡ＣＭ２の反射面であり、第３面は第三反射鏡ＣＭ３の反射面であり、第４面は第四反射鏡ＣＭ４の反射面であり、第５面はレンズＬ１の入射面Ｒ１１であり、第６面はレンズＬ１の射出面Ｒ１２であり、第７面はレンズＬ２の入射面Ｒ２１であり、第８面はレンズＬ２の射出面Ｒ２２であり、第９面はレンズＬ３の入射面Ｒ３１であり、第１０面はレンズＬ３の射出面Ｒ３２であり、第１１面はレンズＬ４の入射面Ｒ４１であり、第１２面はレンズＬ４の射出面Ｒ４２であり、第１３面は像面ＩＭである。次の表（８）に、第８実施例にかかる反射撮影レンズの諸元の値を掲げる。
【００７１】
表（８）
＜硝材データ＞
ｎＣ         ｎｄ         ｎe          ｎＦ         ｎｇ
Ｌ１     1.513855     1.51633      1.518251     1.521905     1.526214
Ｌ２     1.747295     1.755199     1.761671     1.774745     1.791497
Ｌ３     1.544572     1.548141     1.550984     1.556544     1.563351
Ｌ４     1.747295     1.755199     1.761671     1.774745     1.791497
＜光学部材諸元＞
面番号   Ｘ座標      Ｙ座標      Ｚ座標     傾き角δ
1           0          0.00        0.00     -37.87       （ＣＭ１）
2           0        190.00      -48.32     -37.87       （ＣＭ２）
3           0        190.00      168.32      37.86       （ＣＭ３）
4           0          0.00      120.00      37.87       （ＣＭ４）
5           0          0.00      160.00       0.00       （Ｌ１；Ｒ１１）
6           0          0.00      163.00       0.00       （Ｌ１；Ｒ１２）
7           0          0.00      166.50       0.00       （Ｌ２；Ｒ２１）
8           0          0.00      169.50       0.00       （Ｌ２；Ｒ２２）
9           0          0.00      171.50       0.00       （Ｌ３；Ｒ３１）
10          0          0.00      179.50       0.00       （Ｌ３；Ｒ３２）
11          0          0.00      301.17       0.00       （Ｌ４；Ｒ４１）
12          0          0.00      306.17       0.00       （Ｌ４；Ｒ４２）
13          0          0.00      403.35       0.00       （ＩＭ）
＜非球面データ＞
面番号          1                2                3                 4
C(2,0)    -4.13576.E-04    -3.02491.E-04     -5.47057.E-04     -5.12766.E-04
C(1,1)     0.0.E+00         0.0.E+00          0.0.E+00          0.0.E+00
C(0,2)    -2.64338.E-04    -2.96466.E-04     -5.13891.E-04     -5.62089.E-04
C(3,0)     0.0.E+00         0.0.E+00          0.0.E+00          0.0.E+00
C(2,1)    -1.44160.E-07    -2.14044.E-07      7.88214.E-07      2.15862.E-06
C(1,2)     0.0.E+00         0.0.E+00          0.0.E+00          0.0.E+00
C(0,3)     1.17758.E-07     6.39684.E-07      8.97700.E-07      2.54277.E-06
C(4,0)     3.19320.E-10     1.11546.E-09     -3.29742.E-10     -4.21238.E-09
C(3,1)     0.0.E+00         0.0.E+00          0.0.E+00          0.0.E+00
C(2,2)     2.79640.E-10     1.00278.E-09     -2.83353.E-09     -2.11459.E-08
C(1,3)     0.0.E+00         0.0.E+00          0.0.E+00          0.0.E+00
C(0,4)     8.90408.E-10     4.47692.E-09      1.60168.E-09     -9.41785.E-09
C(5,0)     0.0.E+00         0.0.E+00          0.0.E+00          0.0.E+00
C(4,1)     1.33095.E-13    -8.14070.E-13     -2.96567.E-12     -7.90202.E-13
C(3,2)     0.0.E+00         0.0.E+00          0.0.E+00          0.0.E+00
C(2,3)     9.11951.E-13     3.21726.E-12     -5.11467.E-12      5.46120.E-11
C(1,4)     0.0.E+00         0.0.E+00          0.0.E+00          0.0.E+00
C(0,5)     2.64402.E-12     1.57228.E-11      1.30720.E-11      3.43403.E-11
C(6,0)    -2.25370.E-15    -3.25864.E-14     -5.91165.E-14     -7.83898.E-13
C(5,1)     0.0.E+00         0.0.E+00          0.0.E+00          0.0.E+00
C(4,2)    -3.06633.E-17    -3.15993.E-14     -5.61162.E-14     -1.11683.E-12
C(3,3)     0.0.E+00         0.0.E+00          0.0.E+00          0.0.E+00
C(2,4)     7.98228.E-16    -3.03125.E-14     -9.31812.E-14     -1.29872.E-12
C(1,5)     0.0.E+00         0.0.E+00          0.0.E+00          0.0.E+00
C(0,6)     4.46254.E-15     1.52575.E-14      3.14162.E-14     -6.03439.E-13
C(7,0)     0.0.E+00         0.0.E+00          0.0.E+00          0.0.E+00
C(6,1)     9.13054.E-17     1.09799.E-15      1.85503.E-15      3.98272.E-14
C(5,2)     0.0.E+00         0.0.E+00          0.0.E+00          0.0.E+00
C(4,3)     2.65533.E-17    -1.64895.E-17     -1.07597.E-16     -6.41046.E-15
C(3,4)     0.0.E+00         0.0.E+00          0.0.E+00          0.0.E+00
C(2,5)     2.81231.E-17     1.88233.E-16      5.71596.E-17      1.87606.E-14
C(1,6)     0.0.E+00         0.0.E+00          0.0.E+00          0.0.E+00
C(0,7)    -2.24523.E-19    -1.03917.E-16      5.08692.E-17     -8.80201.E-16
＜レンズ面データ＞
レンズ面      ｒ
Ｒ１１     206.244
Ｒ１２      80.941
Ｒ２１     123.848
Ｒ２２     109.753
Ｒ３１      81.127
Ｒ３２     181.925
Ｒ４１      60.948
Ｒ４２      56.398
＜合焦光学系の移動量＞
第１距離合焦状態   第２距離合焦状態
ΔＤ１            ΔＤ２
30.26             116.67
＜条件対応値＞
Ａ１１＝−０．０００２６４３４
Ａ１２＝−０．０００４１３５８
Ａ２１＝−０．０００２９６４７
Ａ２２＝−０．０００３０２４９
（１）（Ａ１２−Ａ１１）×（Ａ２２−Ａ２１）＝８．９９２１Ｅ−１０
（３）Ｃ1（２，０）−Ｃ1（０，２）＝−１．４９２４Ｅ−０４
（５）Ｃ2（２，０）−Ｃ2（０，２）＝−６．０２５３Ｅ−０６
【００７２】
図４１は、第８実施例の無限遠合焦状態におけるｅ線に対する収差をスポットダイアグラムで示す図である。図４２は、第８実施例の第１距離合焦状態におけるｅ線に対する収差をスポットダイアグラムで示す図である。図４３は、第８実施例の第２距離合焦状態におけるｅ線に対する収差をスポットダイアグラムで示す図である。図４４は、第８実施例の無限遠合焦状態におけるｇ線に対する収差をスポットダイアグラムで示す図である。図４５は、第８実施例の第１距離合焦状態におけるｇ線に対する収差をスポットダイアグラムで示す図である。図４６は第８実施例の第２距離合焦状態におけるｇ線に対する収差をスポットダイアグラムで示す図である。
【００７３】
図４１〜図４６を参照すると、第８実施例においても第７実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。また、e線とｇ線とでほぼ同じ収差を示しており、色収差がほとんど発生していないことが分かる。
【００７４】
以上のように、本実施形態では、偏心光学系という回転非対称な光学系であるにも関わらず、非対称な収差の発生を良好に抑えている。また、本実施形態では、可視の波長帯の光に対して３６ｍｍ×２４ｍｍという比較的広い像面の全体に亘って色収差が十分に低減された光学系を実現している。なお、反射鏡や屈折部材（レンズなど）を樹脂で形成することにより軽量化を図ることができる。
【００７５】
なお、望遠レンズは一般的に非常に大きく、運搬の場合や収納の場合に限っても小型化のメリットはある。本発明の場合、第１実施例の光路図を示す図２からも容易に想像できるように、屈折光学系に比べ、反射鏡間のスペースが広く、例えば、図２の第二反射鏡ＣＭ２と第三反射鏡ＣＭ３との間で、分割できる構造にしたり、または、折り曲げられる構造にし、運搬時や収納時には、さらに小型化できる構造にすることも可能である。
【００７６】
上述の説明では、例えばカメラに用いられる反射撮影レンズに対して本発明を適用している。しかしながら、これに限定されることなく、他の適当な画像機器に対して同様に本発明を適用することができる。
【符号の説明】
【００７７】
ＣＭ１  第一反射鏡
ＣＭ２  第二反射鏡
ＣＭ３  第三反射鏡
ＣＭ４  第四反射鏡
Ｌ１，Ｌ２，Ｌ３，Ｌ４  レンズ
ＩＭ  像面
ＡＸａ，ＡＸｂ，ＡＸｃ，ＡＸｄ，ＡＸｅ  基準軸
【図１】
2014106431.tif 000008
【図２】
2014106431.tif 000009
【図３】
2014106431.tif 000010
【図４】
2014106431.tif 000011
【図５】
2014106431.tif 000012
【図６】
2014106431.tif 000013
【図７】
2014106431.tif 000014
【図８】
2014106431.tif 000015
【図９】
2014106431.tif 000016
【図１０】
2014106431.tif 000017
【図１１】
2014106431.tif 000018
【図１２】
2014106431.tif 000019
【図１３】
2014106431.tif 000020
【図１４】
2014106431.tif 000021
【図１５】
2014106431.tif 000022
【図１６】
2014106431.tif 000023
【図１７】
2014106431.tif 000024
【図１８】
2014106431.tif 000025
【図１９】
2014106431.tif 000026
【図２０】
2014106431.tif 000027
【図２１】
2014106431.tif 000028
【図２２】
2014106431.tif 000029
【図２３】
2014106431.tif 000030
【図２４】
2014106431.tif 000031
【図２５】
2014106431.tif 000032
【図２６】
2014106431.tif 000033
【図２７】
2014106431.tif 000034
【図２８】
2014106431.tif 000035
【図２９】
2014106431.tif 000036
【図３０】
2014106431.tif 000037
【図３１】
2014106431.tif 000038
【図３２】
2014106431.tif 000039
【図３３】
2014106431.tif 000040
【図３４】
2014106431.tif 000041
【図３５】
2014106431.tif 000042
【図３６】
2014106431.tif 000043
【図３７】
2014106431.tif 000044
【図３８】
2014106431.tif 000045
【図３９】
2014106431.tif 000046
【図４０】
2014106431.tif 000047
【図４１】
2014106431.tif 000048
【図４２】
2014106431.tif 000049
【図４３】
2014106431.tif 000050
【図４４】
2014106431.tif 000051
【図４５】
2014106431.tif 000052
【図４６】
2014106431.tif 000053